(57)【特許請求の範囲】
【請求項１】
時間軸上の複数の系統のデジタル信号を所定時間長の同じ期間毎に周波数軸上の信号であるスペクトラム信号に順次変換し、同じ期間について最後に得られたスペクトル信号を除く各スペクトル信号については、該各スペクトル信号に配分されたビット数が、ビット数制限値を信号の系統数で除して得られる値を越えない範囲で最大となるように各周波数帯域にビットを配分し、前記最後に得られたスペクトラム信号については、前記最後に得られたスペクトル信号に配分されたビット数が、前記最後に得られたスペクトラム信号を除く各スペクトラム信号に実際に配分されたビット数の総和を前記ビット数制限値から差し引いて得られる値を越えない範囲で最大となるように各周波数帯域にビットを配分した上で、各スペクトラム信号をデータ圧縮する圧縮手段と、
該圧縮手段によりデータ圧縮されて得られる信号を所定の記録媒体に順次記録する記録手段と、
を有することを特徴とする記録装置。
【請求項２】
時間軸上の複数の系統のデジタル信号を所定時間長の同じ期間毎に周波数軸上の信号であるスペクトラム信号に順次変換し、
同じ期間について得られた各スペクトラム信号に配分されたビット数がビット数制限値を信号の系統数で除して得られる値を越えない範囲で最大となるように前記各スペクトラム信号の各周波数帯域にビットを配分する方法を用いて第１の圧縮データを作成し、
前記各スペクトラム信号に配分されたビット数が前記ビット数制限値を信号の系統数で除して得られる値を越える範囲で最小となるように前記各スペクトラム信号の各周波数帯域にビットを配分する方法を用いて第２の圧縮データを作成し、
前記各スペクトラム信号に配分されたビット数の総和が前記ビット数制限値を越えない範囲で最大となるように、前記各スペクトラム信号毎に前記第１の圧縮データと前記第２の圧縮データとのいずれを用いるかを決定する圧縮手段と、
該圧縮手段によりデータ圧縮されて得られる信号を所定の記録媒体に順次記録する記録手段と、
を有することを特徴とする記録装置。
【請求項３】
前記圧縮手段は、各系統に設定された優先順位に基づいて、前記各スペクトラム信号毎に前記第１の圧縮データと前記第２の圧縮データとのいずれを用いるかを決定することを特徴とする請求項２に記載の記録装置。
【請求項４】
前記各系統毎に優先順位を外部から設定するための優先順位設定手段を有することを特徴とする請求項３に記載の記録装置。
【発明の詳細な説明】
【０００１】
【発明の属する技術分野】
本発明は、例えばミニディスクなどの記録媒体に情報を記録する記録装置に関するものである。
【０００２】
【従来の技術】
オーディオ信号の記録再生方式はアナログ方式からデジタル方式へと移行している。民生用の記録媒体としては、デジタルオーディオ信号の再生専用光ディスクであるコンパクトディスク（以下、「ＣＤ」と称する）や、記録、再生、及び、消去が可能な光磁気ディスクであるミニディスク（以下、「ＭＤ」と称する）などが開発されている。
【０００３】
ＭＤはＣＤよりさらに小型化され、直径がＣＤの約１／２となっている。ＭＤに記録されるデジタルオーディオ信号は、ＣＤと同程度の情報記録量を確保するために、ＡＴＲＡＣ（Adaptive TRansform Acoustic Coding）と呼ばれるオーディオ高能率符号化方式によって、約１／５にデータ圧縮されている。
【０００４】
ＭＤに対してオーディオ信号を記録及び再生する記録再生装置のブロック図を図１２に示す。同図中における各符号について説明する。１００は当該記録再生装置に対して脱着自在なＭＤである。１はＭＤ１００を回転させるスピンドルモータである。２は、再生時には、ＭＤ１００に光を照射するとともに、その反射光を取り込んで、ＭＤ１００に記録されたＲＦ信号（変調された圧縮データ）を毎秒１．４Ｍビットの速度で読み取り、一方、記録時には再生時よりも強い光をＭＤ１００に照射し、ＭＤ１００上の記録領域の温度を局所的に上昇させる光ピックアップである。尚、記録時には、ＭＤ１００上の温度が上昇した領域には後出する記録ヘッド９により変調磁界が印加されて、ＲＦ信号がＭＤ１００に記録される。
【０００５】
３は光ピックアップ２をＭＤ１００の半径方向に移送する送りモータである。４は後出するサーボ回路６の制御の下、スピンドルモータ１、送りモータ３、及び、ＭＤ１００への光の照射及びＭＤ１００からの反射光の入射に関与する、光ピックアップ２内の対物レンズ２ａを移動させる不図示のアクチュエータを駆動するドライブ回路である。
【０００６】
５は光ピックアップ２により読み取られたＲＦ信号を増幅するとともに、ＲＦ信号からフォーカスエラー信号やトラッキングエラー信号などの各種のサーボ信号を生成するＲＦアンプである。６はＲＦアンプ５によって生成された各種のサーボ信号に基づいて、後出するシステムコントローラ２４による制御の下、光ピックアップ２内の対物レンズ２ａのＭＤ１００に対するフォーカシング及びトラッキング、並びに、ＭＤ１００の回転速度にサーボをかけるように、ドライブ回路４を制御するサーボ回路である。
【０００７】
７は、再生時には、ＲＦアンプ５で増幅されたＲＦ信号を復調するとともに、復調して得られた圧縮データに対して誤り訂正などの信号処理を行い、一方、記録時には、後出するメモリコントローラ１１から送られてくる圧縮データに所定長からなるブロック毎に誤り訂正用の符号としてＣＩＲＣ（Cross Interleave Reed-solomon Code）を付加した上で圧縮データをＥＦＭ（Eight to Fourteen Modulation）方式で変調する変復調及び誤り訂正回路である。
【０００８】
８はＭＤ１００に磁界を印加する記録ヘッドである。９は記録時に記録ヘッド１９によりＭＤ１００に印加される磁界を、変復調及び誤り訂正回路７により圧縮データを変調して得られた変調信号に基づいて制御する記録ヘッド駆動回路である。これにより、変調信号に応じた磁界がＭＤ１００に印加される。
【０００９】
１０は、再生時には変復調及び誤り訂正回路７から出力される圧縮データを、一方、記録時には後出する圧縮及び伸長回路１２０から出力される圧縮データを、それぞれ一時的に保持するためのショックプルーフメモリ（半導体メモリ）であり、変復調及び誤り訂正回路７にて入出力される圧縮データの転送速度（毎秒１．４Ｍビット）と後出する圧縮及び伸長回路１２０にて入出力される圧縮データの転送速度（毎秒０．３Ｍビット）との差を吸収すること、並びに、例えば振動などの外乱に起因した再生エラー及び録音エラーによる音飛びを防止することを目的として設けられている。尚、ショックプルーフメモリ１０としては、例えば４ＭビットのＤＲＡＭが適当である。
【００１０】
１１はシステムコントローラ２４による制御の下、ショックプルーフメモリ１０に対する圧縮データの読み書きを制御するメモリコントローラである。具体的には、メモリコントローラ１１は、再生時には、変復調及び誤り訂正回路７から送られてくる圧縮データをショックプルーフメモリ１０に格納するとともに、ショックプルーフメモリ１０に格納されている圧縮データを読み出して後出する圧縮及び伸長回路１２０へ出力し、一方、記録時には、圧縮及び伸長回路１２０から送られてくる圧縮データをショックプルーフメモリ１０に格納するとともに、ショックプルーフメモリ１０に格納されている圧縮データを読み出して変復調及び誤り訂正回路７へ出力する。
【００１１】
尚、ショックプルーフメモリ１０には、オーディオデータを格納する領域以外に、オーディオデータに関する付加情報であるＴＯＣ情報を格納する領域が設けられており、ＭＤ１００が装着されると、直ちにＭＤ１００からＴＯＣ情報が読み出され、オーディオデータと同じ経路でショックプルーフメモリ２２の所定の領域に格納される。
【００１２】
また、メモリコントローラ１１は、システムコントローラ２４からの要求に応じて、必要なＴＯＣ情報をショックプルーフメモリ１０から読み出し、システムコントローラ２４へ送るようになっている。システムコントローラ２４は、上記ＴＯＣ情報を基にＭＤ１００に対するデータの読み書き動作を制御する。
【００１３】
１２０は圧縮及び伸長回路である。圧縮及び伸長回路１２０は、再生時には、メモリコントローラ１１から出力される圧縮データを毎秒０．３Ｍビットの速度で伸長し、伸長して得られるデジタルのオーディオ信号を後出するマルチプレクサ１３０へ出力する。また、圧縮及び伸長回路１２０は、記録時には、マルチプレクサ１３０から出力されるデジタルのオーディオ信号をＡＴＲＡＣ方式によりデータ圧縮し、データ圧縮して得られる圧縮データを毎秒０．３Ｍビットの速度でメモリコントローラ１１へ出力する圧縮及び伸長回路である。
【００１４】
１３０はマルチプレクサである。マルチプレクサ１３０は、再生時には、圧縮及び伸長回路１２０から出力されるデジタルのオーディオ信号を左チャンネルの信号（以下、「Ｌ信号」と言う）と右チャンネルの信号（以下、「Ｒ信号」と言う）とに分離して出力する。また、マルチプレクサ１３０は、記録時には、後出するＡ／Ｄ及びＤ／Ａコンバータ１４、１５からそれぞれ出力されるデジタルのＬ信号、Ｒ信号を入力し、Ｌ信号とＲ信号とを１サンプル毎に交互に出力する。
【００１５】
１４及び１５はＡ／Ｄ及びＤ／Ａコンバータである。Ａ／Ｄ及びＤ／Ａコンバータ１４、１５は、記録時には、入出力端子１８、１９を介してそれぞれ入力されるアナログのＬ信号、Ｒ信号をデジタルに変換して出力する。また、Ａ／Ｄ及びＤ／Ａコンバータ１４、１５は、再生時には、マルチプレクサ１３０から出力されるデジタルのＬ信号、Ｒ信号をそれぞれアナログに変換して出力する。再生時にＡ／Ｄ及びＤ／Ａコンバータ１４、１５から出力されるアナログのＬ信号、Ｒ信号はそれぞれ入出力端子１８、１９から外部へ出力される。
【００１６】
２２はユーザが当該記録再生装置に対して指令を入力するための操作部である。２３はシステムコントローラ２４による制御の下、当該記録再生装置の動作状態、現在再生されている曲名及び曲番号などを表示する表示部である。２４は当該記録再生装置全体としての動作が操作部２２から入力された指令に応じたものとなるように、各部の動作を制御するシステムコントローラであり、マイクロコンピュータからなっている。
【００１７】
ＭＤ１００にデータを記録する際には、システムコントローラ２４は、ＴＯＣ情報に基づいてＭＤ１００上の記録可能な領域を認識し、その領域へ光ピックアップ２が移動するようにサーボ回路６を制御する。そして、記録が終了すると、システムコントローラ２４は、メモリコントローラ１１を制御して、ショックプルーフメモリ１０に格納されているＴＯＣ情報をＭＤ１００の現在の記録状況に応じたものに書き換え、これを最新のＴＯＣ情報として利用することによって、ＭＤ１００に記録されているデータを管理する。尚、ＭＤ１００に記録されているＴＯＣ情報（通常、ＭＤ１００の内周側に設けられたＴＯＣ領域に記録されている）も最新のＴＯＣ情報に書き換えられるようになっている。
【００１８】
【発明が解決しようとする課題】
上記従来の記録再生装置では、１系統のステレオ信号のみを録音対象としており、このため、曲名などの補助的な情報は文字情報として記録媒体の特定の領域（ＭＤ１００のＴＯＣ領域）に記録しておき、再生時に再生されている曲に応じた文字情報を表示するようになっていた。
【００１９】
しかしながら、文字情報は、カーオーディオなど視覚的に不自由な状態で利用される場合や、視力に障害のある人に対しては不便なものとなっている。また、２系統以上のステレオ信号を録音することができないので、サラウンド効果を得ることができない。
【００２０】
そこで、本発明は、複数の系統の信号を記録することができる記録装置を提供することを目的とする。
【００２１】
【課題を解決するための手段】
上記の目的を達成するため、本発明の記録装置は、時間軸上の複数の系統のデジタル信号を所定時間長の同じ期間毎に周波数軸上の信号であるスペクトラム信号に順次変換し、得られた各スペクトラム信号に配分されたビット数がビット数制限値を前記デジタル信号の系統数で除して得られる値を越えない範囲で最大となるように、前記各スペクトラム信号の各周波数帯域にビットを配分した上で、前記各スペクトル信号をデータ圧縮する圧縮手段と、該圧縮手段によりデータ圧縮されて得られる信号を所定の記録媒体に順次記録する記録手段と、を有することを特徴とする。
【００２２】
この構成により、複数の系統の信号を記録媒体に記録することができるようになる。
【００２３】
また、本発明の記録装置は、時間軸上の複数の系統のデジタル信号を所定時間長の同じ期間毎に周波数軸上の信号であるスペクトラム信号に順次変換し、得られた各スペクトラム信号に配分されたビット数が当該スペクトラム信号が属する系統に設定された割り当てビット数を越えない範囲で最大となるように、前記各スペクトラム信号の各周波数帯域にビットを配分した上で、前記各スペクトル信号をデータ圧縮する圧縮手段と、該圧縮手段によりデータ圧縮されて順次得られる信号を所定の記録媒体に順次記録する記録手段と、前記各系統毎に前記割り当てビット数を外部から設定するための割り当てビット数設定手段と、を有することを特徴とする。
【００２４】
この構成により、複数の系統の信号を記録媒体に記録することができるようになるとともに、信号を圧縮する際に配分されるビット数の上限を各系統毎に外部から設定することができるようになる。
【００２７】
また、本発明の記録装置は、時間軸上の複数の系統のデジタル信号を所定時間長の同じ期間毎に周波数軸上の信号であるスペクトラム信号に順次変換し、同じ期間について最後に得られたスペクトル信号を除く各スペクトル信号については、該各スペクトル信号に配分されたビット数が、ビット数制限値を信号の系統数で除して得られる値を越えない範囲で最大となるように各周波数帯域にビットを配分し、前記最後に得られたスペクトラム信号については、前記最後に得られたスペクトル信号に配分されたビット数が、前記最後に得られたスペクトラム信号を除く各スペクトラム信号に実際に配分されたビット数の総和を前記ビット数制限値から差し引いて得られる値を越えない範囲で最大となるように各周波数帯域にビットを配分した上で、各スペクトラム信号をデータ圧縮する圧縮手段と、
該圧縮手段によりデータ圧縮されて得られる信号を所定の記録媒体に順次記録する記録手段と、を有することを特徴とする。
【００２８】
この構成により、複数系統の信号を記録媒体に記録することができるようになるとともに、ある特定の系統の信号を圧縮する際により多くのビットが配分され得る。
【００２９】
また、本発明の記録装置は、時間軸上の複数の系統のデジタル信号を所定時間長の同じ期間毎に周波数軸上の信号であるスペクトラム信号に順次変換し、同じ期間について得られた各スペクトラム信号に配分されたビット数がビット数制限値を信号の系統数で除して得られる値を越えない範囲で最大となるように前記各スペクトラム信号の各周波数帯域にビットを配分する方法を用いて第１の圧縮データを作成し、前記各スペクトラム信号に配分されたビット数が前記ビット数制限値を信号の系統数で除して得られる値を越える範囲で最小となるように前記各スペクトラム信号の各周波数帯域にビットを配分する方法を用いて第２の圧縮データを作成し、前記各スペクトラム信号に配分されたビット数の総和が前記ビット数制限値を越えない範囲で最大となるように、前記各スペクトラム信号毎に前記第１の圧縮データと前記第２の圧縮データとのいずれを用いるかを決定する圧縮手段と、該圧縮手段によりデータ圧縮されて得られる信号を所定の記録媒体に順次記録する記録手段と、を有することを特徴とする。
【００３０】
この構成により、複数系統の信号を記録媒体に記録することができるようになるとともに、不特定の系統の信号を圧縮する際により多くのビットが配分され得る。
【００３１】
また、本発明の記録装置は、上記の記録装置において、前記圧縮手段は、各系統に設定された優先順位に基づいて、前記各スペクトラム信号毎に前記第１の圧縮データと前記第２の圧縮データとのいずれを用いるかを決定することを特徴とする。
【００３２】
この構成により、複数系統の信号を記録媒体に記録することができるようになるとともに、優先順位が高い系統の信号ほど、圧縮される際により多くのビットが配分される可能性が高くなる。
【００３３】
また、本発明の記録装置は、上記の記録装置において、前記各系統毎に優先順位を外部から設定するための優先順位設定手段を有することを特徴とする。
【００３４】
この構成により、複数系統の信号を記録媒体に記録することができるようになるとともに、優先順位が高い系統の信号ほど、圧縮される際により多くのビットが配分される可能性が高くなり、さらに、各系統の優先順位を外部から設定することができるようになる。
【００３５】
【発明の実施の形態】
以下に、本発明の実施形態を図面を参照しながら説明する。図１は本発明の一実施形態である記録再生装置のブロック図である。尚、従来技術として説明した記録再生装置のブロック図と同一部分には同一符号を付して説明を省略する。
【００３６】
記録時に関して説明する。入出力端子１８、１９、２０、２１を介してそれぞれ第１系統のＬ信号、第２系統のＬ信号、第１系統のＲ信号、第２系統のＲ信号がＡ／Ｄ及びＤ／Ａコンバータ１４、１５、１６、１７にそれぞれ入力される。Ａ／Ｄ及びＤ／Ａコンバータ１４、１５、１６、１７ではそれぞれ入力されたアナログ信号を例えば、４４．１[kHz]のサンプリング周波数でデジタル信号に変換して出力する。
【００３７】
マルチプレクサ１３は、Ａ／Ｄ及びＤ／Ａコンバータ１４、１５、１６、１７からそれぞれ出力される第１系統のＬ信号のデジタル信号（以下、「Ｌ１信号」と言う）、第２系統のＬ信号のデジタル信号（以下、「Ｌ２信号」と言う）、第１系統のＲ信号のデジタル信号（以下、「Ｒ１信号」と言う）、第２系統のＲ信号のデジタル信号（以下、「Ｒ２信号」と言う）をパラレルに入力し、Ｌ１信号、Ｌ２信号、Ｒ１信号、Ｒ２信号の順で交互に１サンプリング値ずつシリアルに出力する。
【００３８】
すなわち、図２の（イ）に示すように、Ｌ１信号としてサンプリング値Ｌ１−１、Ｌ１−２、Ｌ１−３、…が、Ｌ２信号としてサンプリング値Ｌ２−１、Ｌ２−２、Ｌ２−３、…が、Ｒ１信号としてサンプリング値Ｒ１−１、Ｒ１−２、Ｒ１−３、…が、Ｒ２信号としてサンプリング値Ｒ２−１、Ｒ２−２、Ｒ２−３、…が、それぞれマルチプレクサ１３に順次入力されるとすると、サンプリング値Ｌ１−１、Ｌ２−１、Ｒ１−１、Ｒ２−１、Ｌ１−２、Ｌ２−２、Ｒ１−２、Ｒ２−２、…の順にマルチプレクサ１３から出力される。尚、記録時には、マルチプレクサ１３から出力される信号のビット速度はマルチプレクサ１３に入力される各信号のビット速度の４倍となっている（ｔO＝ｔI）。
【００３９】
圧縮及び伸長回路１２では以下に述べる処理が行われる。圧縮及び伸長回路１２の構成を図３に示す。マルチプレクサ１３からシリアルに出力されるサンプリング値をＬ１信号、Ｌ２信号、Ｒ１信号、Ｒ２信号の各信号毎にメモリ１２７に蓄え、Ｌ１信号、Ｌ２信号、Ｒ１信号、Ｒ２信号の順でサイクリックに各信号を所定時間長（例えば、１１．６[ms]（この場合、サンプリング周波数を４４．１[kHz]とすると、５１２個のサンプリング値が含まれる））の時間窓で切り出す。
【００４０】
すなわち、Ｌ１信号から切り出した後はＬ２信号を切り出し、Ｌ２信号を切り出した後はＲ１信号を切り出し、Ｒ１信号を切り出した後はＲ２信号を切り出し、Ｒ２信号を切り出した後はＬ１信号を切り出し、…というように、所定時間長の時間窓で信号を切り出す毎に、次に切り出す信号を切り換えるようになっている。
【００４１】
次に、切り出した各信号を帯域分割フィルタ１２１にて低域（ＤＣ〜５．５[kHz]）、中域（５．５[kHz]〜１１[kHz]）、及び、高域（１１[kHz]〜２２[kHz]）の３種類の周波数帯域に分割する。
【００４２】
次に、ＭＤＣＴ回路１２２−１、１２２−２、１２２−３にてそれぞれ低域、中域、高域の信号に対して変形離散コサイン変換（ＭＤＣＴ：Modified Discrte Cosine Transform）演算を行うことによって、各周波数帯域の信号を時間軸上の信号から周波数軸上の信号であるスペクトラム信号に変換する。
【００４３】
そして、量子化回路１２３にて人間の聴覚特性上重要な周波数帯域ほど多くのビットを、重要でない周波数帯域ほど少ないビットをそれぞれ配分した上で、スペクトラム信号の各帯域の振幅を量子化し直す。このようにしてスペクトラム信号をデータ圧縮し、得られた圧縮データをメモリコントローラ１１へ出力する。
【００４４】
ここで、ＭＤではＮバイト（例えば、Ｎ＝４２４）の圧縮データを１単位として扱っている。この１単位はサウンドグループと呼ばれている。本実施形態では、図４に示すように、Ｌ１信号、Ｌ２信号、Ｒ１信号、Ｒ２信号の各信号の圧縮データにＮ／４バイトずつ割り当てる。また、各圧縮データは、図４に示すように、サウンドパラメータＳＧ−１、ワードレングスＳＧ−２、スケールファクタＳＧ−３、及び、オーディオスペクトラムデータＳＧ−４からなる。
【００４５】
サウンドパラメータＳＧ−１は圧縮データのデータの種類を示すデータであり、そのバイト数ｎ１は一定である。ワードレングスＳＧ−２はスペクトラム信号の各周波数帯域毎に配分されたビット数を各周波数帯域毎に示すデータであり、そのバイト数ｎ２は一定である。スケールファクタＳＧ−３はスペクトラム信号の振幅の指数部を各周波数帯域毎に示すデータであり、そのバイト数ｎ３は一定である。
【００４６】
オーディオスペクトラムデータＳＧ−４はスペクトラム信号の振幅の仮数を各周波数帯域毎に配分された数のビットで示すデータであり、人間の聴覚特性を利用して各周波数帯域には適切な数のビットが配分されるので、そのバイト数ｎ４は可変長である。
【００４７】
尚、ワードレングスＷＬと、スケールファクタＳＦと、オーディオスペクトラムデータＡＳＤと、スペクトラム信号の振幅ＲＡＳとの間には、
ＲＡＳ＝ＳＦ×ＡＳＤ／（２WL−１）
の関係がある。そして、総バイト数ｎ（ｎ＝ｎ１＋ｎ２＋ｎ３＋ｎ４）≦Ｎ／４という条件を満たした上で、オーディオスペクトラムデータのバイト数ｎ４が最大となるように、各周波数帯域にビットが配分される。
【００４８】
再生時に関して説明する。圧縮及び伸長回路１２では以下に述べる処理が行われる。逆量子化回路１２４は、メモリコントローラ１１から出力される圧縮データの内容に基づいてスペクトラム信号を生成し、生成した各スペクトラム信号を低域、中域、高域の３つの帯域に分割して出力する。尚、メモリコントローラ１１から出力される圧縮データからは１サウンドグループ毎に４つのスペクトラム信号が生成される。
【００４９】
次に、逆量子化回路１２４から出力される低域、中域、高域のスペクトラム信号に対して、それぞれＩＭＤＣＴ回路１２５−１、１２５−２、１２５−３にて逆変形離散コサイン変換（ＩＭＤＣＴ：Inverse Modified Discrte Cosine Transform）演算を行うことによって、低域、中域、高域のスペクトラム信号を時間軸上の信号に変換する。
【００５０】
次に、これにより得られた低域、中域、高域の時間軸上の信号を帯域合成フィルタ１２６にて合成する。そして、これにより得られた時間軸上の信号を所定時間長（例えば、１１．６[ms]（この場合、サンプリング周波数を４４．１[kHz]とすると、５１２個のサンプリング値が含まれる））毎に順次切り出す。このようにして切り出した信号をＬ１信号、Ｌ２信号、Ｒ１信号、Ｒ２信号の各信号毎にメモリ１２７に蓄え、Ｌ１信号、Ｌ２信号、Ｒ１信号、Ｒ２信号の順でサイクリックに各信号のサンプリング値を１つずつ取り出す。
【００５１】
すなわち、Ｌ１信号のサンプリング値が１つ出力された後は、Ｌ２信号のサンプリング値が１つ出力され、Ｌ２信号のサンプリング値が１つ出力された後は、Ｒ１信号のサンプリング値が１つ出力され、Ｒ１信号のサンプリング値が１つ出力された後は、Ｒ２信号のサンプリング値が１つ出力され、Ｒ２信号のサンプリング値が１つ出力された後は、Ｌ１信号のサンプリング値が１つ出力され、…というように、メモリ１２７からはサンプリング値が出力される。
【００５２】
マルチプレクサ１３は、圧縮及び伸長回路１２内のメモリ１２７からシリアルに出力されるサンプリング値を入力し、入力したサンプリング値を入力した順に４つずつパラレルに出力する。すなわち、図２の（ロ）に示すように、サンプリング値としてＬ１−１、Ｌ１−２、Ｒ１−１、Ｒ２−１、Ｌ１−２、Ｌ２−２、Ｒ１−２、Ｒ２−２の順にマルチプレクサ１３に入力されるとすると、４つのサンプリング値Ｌ１−１、Ｌ１−２、Ｒ１−１、及び、Ｒ２−１、４つのサンプリング値Ｌ１−２、Ｌ２−２、Ｒ１−２、及び、Ｒ２−２、…の順に出力される。尚、再生時には、マルチプレクサ１３から出力される信号のビット速度はマルチプレクサ１３に入力される各信号のビット速度の１／４倍となっている（ｔO＝ｔI）。
【００５３】
マルチプレクサ１３からパラレルに出力された４つのサンプリング値のうち、Ｌ１信号のものがＡ／Ｄ及びＤ／Ａコンバータ１４に、Ｌ２信号のものがＡ／Ｄ及びＤ／Ａコンバータ１５に、Ｒ１信号のものがＡ／Ｄ及びＤ／Ａコンバータ１６に、Ｒ２信号のものがＡ／Ｄ及びＤ／Ａコンバータ１７に、それぞれ入力される。
【００５４】
Ａ／Ｄ及びＤ／Ａコンバータ１４、１５、１６、１７では、それぞれ入力されるＬ１信号、Ｌ２信号、Ｒ１信号、Ｒ２信号をアナログ信号に変換する。Ａ／Ｄ及びＤ／Ａコンバータ１４、１５、１６、１７にてそれぞれ得られたアナログ信号は入出力端子１８、１９、２０、２１から出力される。
【００５５】
以上の内容から、本第１実施形態の記録再生装置によれば、２系統のステレオ信号をＭＤ１００に記録することができ、これにより、一方の系統を利用することによって、曲名などの補助的な情報を音声信号として記録することができるようになり、また、２系統のステレオ信号として音楽信号を入力することによって、サラウンド効果を得ることができるようになる。
【００５６】
本発明の第２実施形態である記録再生装置について説明する。本第２実施形態の記録再生装置は、図５にそのブロック図を示すように、第１系統及び第２系統に対して別個に割り当てビット数を外部から設定するための割り当てビット数設定部２５を有している。そして、圧縮及び伸長回路１２は、記録時に各スペクトラム信号に対して以下に述べるようにしてビット配分を行う。
【００５７】
尚、本第２実施形態の記録再生装置における圧縮及び伸長回路１２に関する、記録時のその他の動作及び再生時の動作については、上記第１実施形態の記録再生装置における圧縮及び伸長回路１２と同一である。また、圧縮及び伸長回路１２以外のその他の部分については、上記第１実施形態の記録再生装置と同一であるので、同一符号を付して説明を省略する。
【００５８】
第１系統に設定された割り当てビット数がＢ1、第２系統に設定された割り当てビット数がＢ2であるすると（但し、Ｂ1＋Ｂ2はビット数制限値（今の例では、１系統がステレオ信号なので、バイト数に換算すると、Ｎ／２バイトである（Ｎは１サウンドグループのバイト数））以下であるものとする）、第１系統の信号であるＬ１信号及びＲ１信号から得られたスペクトラム信号については、配分されたビット数が割り当てビット数Ｂ1を越えない範囲で最大となるように、第２系統の信号であるＬ２信号及びＲ２信号から得られたスペクトラム信号については、配分されたビット数が割り当てビット数Ｂ2を越えない範囲で最大となるように、それぞれビットを配分する。
【００５９】
例えば、割り当てビット数Ｂ1＞割り当てビット数Ｂ2とすると、１サウンドグループ内のＬ１信号の圧縮データＣ（Ｌ１）とＬ２信号の圧縮データＣ（Ｌ２）との関係は図６に示すようになる（但し、図６中におけるＢ（１）、Ｂ（２）は割り当てビット数Ｂ１、Ｂ２をそれぞれバイト数に換算したものである）。Ｒ１信号の圧縮データとＲ２信号の圧縮データとの関係も同様になる。
【００６０】
尚、本実施形態では、どちらか一方の系統に対して割り当てビット数を設定すると、設定された割り当てビット数をビット数制限値から差し引いて得られるビット数を他方の系統に対して自動的に設定するようになっている。これにより、第１系統に割り当てられたビット数と第２系統に割り当てられたビット数との合計がビット数制限値を越えることはない。また、配分されるビット数が必要以上に少なくなり、その結果、不必要に再生品質が低下することもない。
【００６１】
以上の内容から、本第２実施形態の記録再生装置によれば、各系統の信号毎に配分されるビット数の上限を設定することができるので、各系統毎に信号の再生品質を任意に設定することができる。そして、これにより、例えば、第１系統がメインの音楽信号であり、第２系統が補助的な音声信号である場合には、第１系統の信号の方が第２系統の信号よりも音質が要求されるが、このような要求を満足することができる。
【００６２】
本発明の第３実施形態である記録再生装置について説明する。本第３実施形態の記録再生装置のブロック図は上記第１実施形態のブロック図を示す図１と同一である。本第３実施形態の記録再生装置では、圧縮及び伸長回路１２は、記録時に各スペクトラム信号に対して以下に述べるようにしてビット配分を行う。
【００６３】
尚、本第３実施形態の記録再生装置における圧縮及び伸長回路１２に関する、記録時のその他の動作及び再生時の動作については、上記第１実施形態の記録再生装置における圧縮及び伸長回路１２と同一である。また、圧縮及び伸長回路１２以外のその他の部分については、上記第１実施形態の記録再生装置と同一であるので、同一符号を付して説明を省略する。
【００６４】
Ｌ１信号及びＲ１信号から得られたスペクトラム信号、すなわち、Ｌ信号、Ｒ信号の各信号に関して、そのデジタル信号の所定時間長の同じ期間から順次変換されて先に得られるスペクトラム信号については、配分されたビット数がビット数制限値（今の例では、１系統がステレオ信号なので、バイト数に換算すると、Ｎ／２バイトである（Ｎは１サウンドグループのバイト数））を信号の系統数２で除して得られる値（バイト数で換算すると、Ｎ／４バイト）を越えない範囲で最大となるように各周波数帯域にビットを配分する。
【００６５】
一方、Ｌ２信号及びＲ２信号から得られるスペクトラム信号、すなわち、Ｌ信号、Ｒ信号の各信号に関して、そのデジタル信号の所定時間長の同じ期間から順次変換されて後に得られるスペクトラム信号については、配分されたビット数が、先に得られたスペクトラム信号に配分されたビット数をビット数制限値から差し引いて得られる値を越えない範囲で最大となるように各周波数帯域にビットを配分する。
【００６６】
まとめると、例えば、ある期間のＬ１信号から得られたスペクトラム信号の各周波数帯域に、配分されたビット数がバイト数に換算してＮ／４バイトを越えない範囲で最大になるようにビットを配分し、その結果、実際に配分されたビット数がバイト数に換算してＢ（Ｌ１）（Ｂ（Ｌ１）≦Ｎ／４）バイトであったとすると、同じ期間のＬ２信号から得られるスペクトラム信号の各周波数帯域には、配分されたビット数がバイト数に換算してＢ（Ｌ２）（Ｂ（Ｌ２）＝Ｎ／４−Ｂ（Ｌ１）≧Ｎ／４）バイトを越えない範囲で最大となるようにビットが配分される。これにより、１サウンドグループ内のＬ１信号の圧縮データＣ（Ｌ１）とＬ２信号の圧縮データＣ（Ｌ２）との関係は図７に示すようになる
【００６７】
尚、信号の系統数が３以上であるときには、３以上の系統のデジタル信号の所定時間長の同じ期間から順次変換されて最後に得られたスペクトラム信号を除く各スペクトラム信号について、ビット数制限値を信号の系統数で除して得られる値を越えない範囲で最大となるように各周波数帯域にビットを配分し、最後に得られたスペクトラム信号について、最後に得られたスペクトラム信号を除く各スペクトラム信号に配分されたビット数の総和を前記ビット数制限値から差し引いて得られる値を越えない範囲で最大となるように各周波数帯域にビットを配分するようにすればよい。
【００６８】
以上の内容から、本第３実施形態の記録再生装置によれば、第２系統の信号を圧縮する際により多くのビットが配分され得るので、第２系統の信号の再生品質が向上する。
【００６９】
本発明の第４実施形態である記録再生装置について説明する。本第４実施形態の記録再生装置のブロック図は上記第１実施形態のブロック図を示す図１と同一である。本第４実施形態の記録再生装置では、圧縮及び伸長回路１２は、記録時に各スペクトラム信号に対して以下に述べるようにしてビット配分を行う。
【００７０】
尚、本第４実施形態の記録再生装置における圧縮及び伸長回路１２に関する、記録時のその他の動作及び再生時の動作については、上記第１実施形態の記録再生装置における圧縮及び伸長回路１２と同一である。また、圧縮及び伸長回路１２以外のその他の部分については、上記第１実施形態の記録再生装置と同一であるので、同一符号を付して説明を省略する。
【００７１】
順次得られるスペクトラム信号毎に以下に述べる処理を行う。まず、配分されたビット数がビット数制限値を信号の系統数で除して得られる値を越えない範囲で最大となるように、スペクトラム信号の各周波数帯域にビットを配分した上で得られる圧縮データ（以下、「最初の圧縮データ」と言う）を記憶する。
【００７２】
次に、配分されたビット数がビット数制限値を信号の系統数で除して得られる値を越える範囲で最小となるように、スペクトラム信号の各周波数帯域にビットを配分した上で得られる圧縮データ（以下、「次点の圧縮データ」と言う）を記憶する。
【００７３】
尚、配分されたビット数がビット数制限値を信号の系統数で除して得られる値を越えない範囲で最大となるように、スペクトラム信号の各周波数帯域にビットを配分したときには、処理の性格上からして、配分されたビット数がビット数制限値を信号の系統数で除して得られる値を越える範囲で最小となるビットの配分パターンも判明している。もし、配分されたビット数がビット数制限値を信号の系統数で除して得られる値を越える範囲で最小となるビットの配分パターンが存在しない場合は、次点の圧縮データのビット数を０として処理を行う。
【００７４】
そして、図８に示すように、Ｌ信号に関しては、Ｌ１信号の最初の圧縮データＣ１（Ｌ１）とＬ２信号の最初の圧縮データＣ１（Ｌ２）との組み合わせ、Ｌ１信号の最初の圧縮データＣ１（Ｌ１）とＬ２信号の次点の圧縮データＣ２（Ｌ２）との組み合わせ、及び、Ｌ１信号の次点の圧縮データＣ２（Ｌ１）とＬ２信号の最初の圧縮データＣ１（Ｌ２）との組み合わせの中から、実際に配分されているビット数の合計がビット数制限値（バイト数に換算すると、Ｎ／２バイト）を越えない範囲で最大となる組み合わせを選択してメモリコントローラ１１へ出力する。
【００７５】
Ｒ信号に関しても、図９に示すように、Ｒ１信号の最初の圧縮データＣ１（Ｒ１）、Ｒ１信号の次点の圧縮データＣ２（Ｒ１）、Ｒ２信号の最初の圧縮データＣ１（Ｒ２）、及び、Ｒ２信号の次点の圧縮データＣ２（Ｒ２）を用いて同じ処理を行う。
【００７６】
尚、図８及び９中において、圧縮データＣ１（Ｌ１）、Ｃ１（Ｌ２）、Ｃ２（Ｌ１）、Ｃ２（Ｌ２）、Ｃ１（Ｌ１）、Ｃ１（Ｌ２）、Ｃ２（Ｌ１）、Ｃ２（Ｌ２）の実際に配分されているビット数は、バイト数に換算すると、それぞれＢ１（Ｌ１）、Ｂ１（Ｌ２）、Ｂ２（Ｌ１）、Ｂ２（Ｌ２）、Ｂ１（Ｌ１）、Ｂ１（Ｌ２）、Ｂ２（Ｌ１）、Ｂ２（Ｌ２）である。
【００７７】
そして、以上の処理の結果、実際に配分されたビット数に関して、例えばＢ１（Ｌ１）＋Ｂ１（Ｌ２）＜Ｂ１（Ｌ１）＋Ｂ２（Ｌ２）＜Ｎ／２＜Ｂ２（Ｌ１）＋Ｂ１（Ｌ２）、及び、Ｂ１（Ｒ１）＋Ｂ１（Ｒ２）＜Ｂ２（Ｒ１）＋Ｂ１（Ｒ２）＜Ｎ／２＜Ｂ１（Ｒ１）＋Ｂ２（Ｒ２）の関係になったとすると、メモリコントローラ１１へ出力される１つのサウンドグループは図１０に示すようになる。尚、図１０中のＥは空き領域である。
【００７８】
以上の内容から、本第４実施形態の記録再生装置によれば、信号を圧縮する際に第１系統または第２系統のどちらかにより多くのビットが配分され得るので、各系統の信号の再生品質が向上する。
【００７９】
本発明の第５実施形態である記録再生装置について説明する。本第５実施形態の記録再生装置のブロック図は上記第１実施形態のブロック図を示す図１と同一である。本第５実施形態の記録再生装置では、圧縮及び伸長回路１２は、第４実施形態の記録再生装置における圧縮及び伸長回路１２と同様に、２系統の信号の最初の圧縮データと次点の圧縮データとの３つの組み合わせの中からいずれか１つの組み合わせを選択するが、その選択方法が以下に述べるようになっている。
【００８０】
Ｌ１信号の最初の圧縮データＣ１（Ｌ１）とＬ２信号の最初の圧縮データＣ１（Ｌ２）との組み合わせ、Ｌ１信号の最初の圧縮データＣ１（Ｌ１）とＬ２信号の次点の圧縮データＣ２（Ｌ２）との組み合わせ、及び、Ｌ１信号の次点の圧縮データＣ２（Ｌ１）とＬ２信号の最初の圧縮データＣ１（Ｌ２）との組み合わせの中から、バイト数がビット数制限値（バイト数に換算すると、Ｎ／２バイト）を越えないようにするとともに、各系統に設定された優先順位に基づいて、いずれか１つの組み合わせを選択してメモリコントローラ１１へ出力する。
【００８１】
具体的には、第１系統の方が第２系統よりも優先順位が高く設定されているとすると、選択した組み合わせの合計のバイト数がビット数制限値を越えないことを条件として、第１系統の信号の次点の圧縮データと第２系統の信号の最初の圧縮データとの組み合わせ、第１系統の信号の最初の圧縮データと第２系統の信号の次点の圧縮データとの組み合わせ、第１系統の信号の最初の圧縮データと第２系統の信号の最初の圧縮データとの組み合わせの順位で、いずれか１つの組み合わせを選択して出力する。
【００８２】
すなわち、各系統の信号に配分されたビット数の総和がビット数制限値を越えない範囲で、できるだけ優先順位が高い系統の信号により多くのビット数を配分して得られる圧縮データを出力する。
【００８３】
以上の内容から、本第５実施形態の記録再生装置では、優先順位が高い系統の信号ほど、圧縮される際により多くのビットが配分される可能性が高まり、これにより、優先順位が高い系統の信号の再生品質が向上しやすくなる。
【００８４】
そして、本発明の第６実施形態である記録再生装置では、上記第５実施形態の記録再生装置において、図８に示すように、各系統毎に優先順位を外部から設定するための優先順位設定部２６を設けている。これにより、信号の再生品質が向上しやすくなる系統を任意に設定することができる。
【００８５】
尚、上記各実施形態の記録再生装置では、２系統のステレオ信号を記録するものであったが、本発明はこれに限定されるものではなく、圧縮及び伸長回路、マルチプレクサの処理速度を向上させるとともに、圧縮及び伸長回路で記録時に行われる各スペクトラム信号へのビット配分の制限値を変更して、３系統以上のステレオ信号を記録することができるようにしてもよい。
【００８６】
【発明の効果】
以上説明したように、本発明によれば、複数系統の信号を記録媒体に記録することができ、これにより、ある系統を利用することによって、例えば曲名などの補助的な情報を音声信号として記録することができるようになり、また、各系統の信号として音楽信号を入力することによってサラウンド効果を得ることができるようになる。
【００８７】
また、本発明によれば、信号を圧縮する際に配分されるビット数の上限を各系統毎に外部から設定することができるので、各系統毎に信号の再生品質を任意に設定することができる。
【００８８】
また、本発明によれば、信号を圧縮する際により多くのビットが配分され得るので、信号の再生品質が向上する。
【００８９】
また、本発明によれば、ある特定の系統の信号を圧縮する際により多くのビットが配分され得るので、その特定の系統の信号の再生品質が向上する。
【００９０】
また、本発明によれば、不特定の系統の信号を圧縮する際により多くのビットが配分され得るので、各系統の信号の再生品質が向上する。
【００９１】
また、本発明によれば、優先順位が高い系統の信号ほど、圧縮される際により多くのビットが配分される可能性が高まり、これにより、優先順位が高い系統の信号ほど、その再生品質が向上しやすくなる。
【００９２】
また、本発明の記録再生装置によれば、各系統の優先順位を外部から設定することができるので、信号の再生品質が向上しやすくなる系統を任意に設定することができる。
【図面の簡単な説明】
【図１】  本発明の第１実施形態である記録再生装置のブロック図である。
【図２】  マルチプレクサの入力と出力との関係を示す図である。
【図３】  圧縮及び伸長回路のブロック図である。
【図４】  サウンドグループの構成を示す図である。
【図５】  本発明の第２実施形態である記録再生装置のブロック図である。
【図６】  本発明の第２実施形態である記録再生装置におけるビットの配分方法を説明するための図である。
【図７】  本発明の第３実施形態である記録再生装置におけるビットの配分方法を説明するための図である。
【図８】  本発明の第４実施形態である記録再生装置におけるビットの配分方法を説明するための図である。
【図９】  本発明の第４実施形態である記録再生装置におけるビットの配分方法を説明するための図である。
【図１０】  本発明の第４実施形態である記録再生装置における１サウンドグループの構成例を示す図である。
【図１１】  本発明の第６実施形態である記録再生装置のブロック図である。
【図１２】  従来の記録再生装置のブロック図である。
【符号の説明】
１    スピンドルモータ
２    光ピックアップ
３    送りモータ
４    ドライブ回路
５    ＲＦアンプ
６    サーボ回路
７    変復調及び誤り訂正回路
８    記録ヘッド
９    記録ヘッド駆動回路
１０    ショックプルーフメモリ
１１    メモリコントローラ
１２    圧縮及び伸長回路
１３    マルチプレクサ
１４、１５、１６、１７    Ａ／Ｄ及びＤ／Ａコンバータ
１８、１９、２０、２１    入出力端子
２２    操作部
２３    表示部
２４    システムコントローラ
２５    割り当てビット数設定部
２６    優先順位設定部
【図１】
0003719877.tif 000002
【図２】
0003719877.tif 000003
【図３】
0003719877.tif 000004
【図４】
0003719877.tif 000005
【図５】
0003719877.tif 000006
【図６】
0003719877.tif 000007
【図７】
0003719877.tif 000008
【図８】
0003719877.tif 000009
【図９】
0003719877.tif 000010
【図１０】
0003719877.tif 000011
【図１１】
0003719877.tif 000012
【図１２】
0003719877.tif 000013